(57)【要約】【課題】従来のカートや買い物かごでは、情報の入力を受け付けないので、入力された情報に基づいて情報を提示することができなかった。特に、従来のカートや買い物かごでは、年齢や国籍などの買い物客個人の属性情報に合致した情報を提示することができなかった。【解決手段】情報を表示するディスプレイを具備するショッピングカートであって、入力を受け付ける入力受付部を具備し、当該入力に基づいてディスプレイに情報を表示するショッピングカート、または買い物かごであり、かかるカート等により、入力された情報に基づいて情報を提示することができ、買い物に便利であり、かつ販売促進にもなる。【選択図】図２
2004106826.tif 000002
【特許請求の範囲】
【請求項１】
情報を表示するディスプレイを具備するショッピングカートであって、
入力を受け付ける入力受付部を具備し、
前記入力に基づいて前記ディスプレイに情報を表示するショッピングカート。
【請求項２】
ディスプレイと、
入力を受け付ける入力受付部と、
情報を受信する情報受信部と、
前記情報受信部で受信した情報の中から前記入力に応じて情報を選択する情報選択部と、前記情報選択部が選択した情報を前記ディスプレイに表示する情報出力部を具備するショッピングカート。
【請求項３】
さらに商品識別子を受け付け、
前記情報選択部は、前記情報受信部で受信した情報の中から前記入力と前記商品識別子に応じて情報を選択する請求項２記載のショッピングカート。
【請求項４】
前記入力がユーザの属性に関する情報である属性情報である請求項１から請求項３いずれか記載のショッピングカート。
【請求項５】
前記属性情報が、言語の種類に関する情報である請求項４記載のショッピングカート。
【請求項６】
前記属性情報が、ユーザの年齢に関する情報である請求項４記載のショッピングカート。
【請求項７】
前記属性情報が、ユーザの嗜好情報である請求項４記載のショッピングカート。
【請求項８】
情報を表示するディスプレイを具備する買い物かごであって、
入力を受け付ける入力受付部を具備し、
前記入力に基づいて前記ディスプレイに情報を表示する買い物かご。
【請求項９】
ディスプレイと、
入力を受け付ける入力受付部と、
情報を受信する情報受信部と、
前記情報受信部で受信した情報の中から前記入力に応じて情報を選択する情報選択部と、前記情報選択部が選択した情報を前記ディスプレイに表示する情報出力部を具備する買い物かご。
【請求項１０】
さらに商品識別子を受け付け、
前記情報選択部は、前記情報受信部で受信した情報の中から前記入力と前記商品識別子に応じて情報を選択する請求項９記載の買い物かご。
【請求項１１】
前記入力がユーザの属性に関する情報である属性情報である請求項８から請求項１０いずれか記載の買い物かご。
【請求項１２】
前記属性情報が、言語の種類に関する情報である請求項１１記載の買い物かご。
【請求項１３】
前記属性情報が、ユーザの年齢に関する情報である請求項１１記載の買い物かご。
【請求項１４】
前記属性情報が、ユーザの嗜好情報である請求項１１記載の買い物かご。
【請求項１５】
買い物かごと、ディスプレイを具備するショッピングカートを有するショッピングカートシステムであって、
前記買い物かごは情報を受信し、
前記ショッピングカートは、
前記買い物かごが受信した情報を、ユーザの入力に応じて前記ディスプレイに情報を表示するショッピングカートシステム。
【請求項１６】
買い物かごと、ディスプレイを具備するショッピングカートを有するショッピングカートシステムであって、
前記買い物かごは、
情報を受信する情報受信部と、
前記情報受信部が受信した情報を前記ショッピングカートに送信する情報受渡部を具備し、
前記ショッピングカートは、
前記情報受渡部が送信した情報を受信する情報受取部と、
入力を受け付ける入力受付部と、
前記情報受取部が受信した情報の中から前記入力に応じて情報を選択する情報選択部と、前記情報選択部が受信した情報を前記ディスプレイに表示する情報出力部を
具備するショッピングカートシステム。
【請求項１７】
さらに商品識別子を受け付け、
前記情報選択部は、前記情報受信部で受信した情報の中から前記入力と前記商品識別子に応じて情報を選択する請求項１６記載のショッピングカートシステム。
【請求項１８】
請求項１５から請求項１７いずれか記載のショッピングカートシステムを構成する買い物かご。
【請求項１９】
請求項１５から請求項１７いずれか記載のショッピングカートシステムを構成するショッピングカート。
【発明の詳細な説明】
【技術分野】
【０００１】
　本発明は、ショッピングモールやスーパーなどで利用するショッピングカートや買い物かご等に関するものである。
【背景技術】
【０００２】
　第一の従来のショッピングカート（以下、適宜、カートという。）や買い物かごは、ショッピングモールやスーパーなどで設置されており、買い物客は自由に利用することができる。また、通常、カートや買い物かごにおいて情報の提示はなかった。さらに、カート等に情報の提示がある場合でも、かかる情報の提示は、固定的な店の名称が書かれた看板によるものであった。
【０００３】
　また、ショッピングモールやスーパーなどにおけるお買い得情報などの広告情報の提示は、吊り下げられたチラシや音声によるものであった。
【０００４】
　また、第二の従来のショッピングカートとして、ディスプレイを具備するショッピングカートがある（特許文献１参照）。
【特許文献１】特開平６−１０７１８３号公報（第１頁、第１図等）
【発明の開示】
【発明が解決しようとする課題】
【０００５】
　しかしながら、従来のカートや買い物かごでは、情報の入力を受け付けないので、入力された情報に基づいて情報を提示することができなかった。
【０００６】
　また、特に、従来のカートや買い物かごでは、年齢や国籍などの買い物客個人の属性情報に合致した情報を提示することができなかった。
【課題を解決するための手段】
【０００７】
　以上の課題を解決するための第一の発明は、情報を表示するディスプレイを具備するショッピングカートであって、入力を受け付ける入力受付部を具備し、当該入力に基づいてディスプレイに情報を表示するショッピングカート、または買い物かごである。かかるカート等により、入力された情報に基づいて情報を提示することができ、買い物に便利であり、かつ販売促進にもなる。
【０００８】
　また、第ニの発明は、ディスプレイと、入力を受け付ける入力受付部と、情報を受信する情報受信部と、情報受信部で受信した情報の中から入力に応じて情報を選択する情報選択部と、情報選択部が選択した情報をディスプレイに表示する情報出力部を具備するショッピングカートまたは買い物かごである。かかるカート等により、入力された情報に基づいて、種々の情報が提示でき、買い物に便利であり、かつ販売促進にもなる。
【発明の効果】
【０００９】
　本発明によれば、商品情報等の情報を適切に表示できるショッピングカートや買い物かごにより、販売促進が可能になり、また、買い物にも便利である。
【発明を実施するための最良の形態】
【００１０】
以下、ショッピングカート等の実施形態について図面を参照して説明する。なお、実施の形態において同じ符号を付した構成要素は同様の動作を行うので、再度の説明を省略する場合がある。
【００１１】
　（実施の形態１）
図１は、本実施の形態に係るショッピングカートの概念図である。ショッピングカートは、ディスプレイを具備しており、当該ディスプレイに種々の情報が表示される。また、シ
ョッピングカートは、ＩＣカードリーダーを具備しており、買い物客が保持するＩＣカードを読み込む。ＩＣカードには、例えば、買い物客の個人属性（国籍や年齢や性別など）が記録されている。そして、ショッピングカートは、ＩＣカードに記録されている情報に基づいて情報を選択して、出力する。なお、ＩＣカードは一例であり、半導体メモリーやＣＤ−ＲＯＭ等、情報を記録できる記録媒体であれば何でも良い。従って、ショッピングカートは、当該記録媒体の情報を読み取る機能を有する、ということになる。
【００１２】
　図２は、本実施の形態に係るショッピングカートの構成を示すブロック図である。ショッピングカートは、入力受付部１０１、情報格納部１０２、情報選択部１０３、情報出力部１０４を有する。
【００１３】
　入力受付部１０１は、ユーザ（買い物客）からの情報の入力を受け付ける。情報の入力は、スイッチによる入力、ＩＣカードの読み込みによる入力、タッチパネルによる入力など、種々考えられる。入力受付部１０１の実現手段は、入力手段により異なる。入力受付部１０１は、例えば、ＩＣカードリーダーとそのドライバーソフトウェア等で実現され得る。
【００１４】
　情報格納部１０２は、出力する情報を複数格納している。情報の構造やデータタイプ（テキスト、音声、静止画、動画など）は問わない。情報格納部１０２は、不揮発性の記録媒体が好適であるが、揮発性の記録媒体でも良い。
【００１５】
　情報選択部１０３は、入力受付部１０１で受け付けた入力に基づいて、情報格納部１０２に格納さている情報を選択する。情報選択部１０３が情報を選択する具体的なアルゴリズムは、以下に詳細に説明する。情報選択部１０３は、通常、ソフトウェアで実現されるが、ハードウェア（専用回路）で実現されても良い。
【００１６】
　情報出力部１０４は、情報選択部１０３が選択した情報を出力する。出力とは、ディスプレイへの表示が一般的であるが、スピーカーへの音声出力、信号音出力、プリンタへの印字、ＬＥＤ等の光情報の出力なども含む。情報出力部１０４は、例えば、ディスプレイとそのドライバーソフトと情報を表示するソフトウェアから実現され得る。情報出力部１０４の実現手段は、出力の態様により種々考えられる。
【００１７】
　以下、本実施の形態に係るショッピングカートの動作について図３のフローチャートを用いて説明する。
【００１８】
　（ステップＳ３０１）入力受付部１０１が入力を受け付けたか否かを判断する。入力を受け付ければステップＳ３０２に行き、入力を受け付けなければステップＳ３０１に戻る。
【００１９】
　（ステップＳ３０２）情報選択部１０３は、ステップＳ３０１で受け付けた入力に基づいて、情報格納部１０２の情報を選択する。
【００２０】
　（ステップＳ３０３）情報出力部１０４は、ステップＳ３０２で選択した情報を出力する。
【００２１】
　以下、本実施の形態におけるショッピングカートの具体的な動作について説明する。まず、第一の例について説明する。ショッピングカートの外観は、図１に示すとおりである。ショッピングカートは、買い物客のＩＣカードを読み込む。ＩＣカードには、買い物客の属性に関する情報である属性情報が入力されている。属性情報とは、例えば、氏名、年齢、性別、住所、言語の種類に関する情報、趣味。個人の嗜好を示す嗜好情報等である。言語の種類に関する情報とは、当該買い物客が読める言語（日本語、英語、中国語など）を識別する情報である。嗜好情報とは、例えば、ベジタリアンであるとか、特別な宗教を信仰しているなどの情報である。特別な宗教を信仰していれば、食せない食品があるからであり、かかる情報を個人の要求に合致した情報出力には有効である。ショッピングカートは、ディスプレイとスピーカーを有し、動画、静止画、テキスト、音声の情報を出力できる。
【００２２】
　また、ショッピングカートの情報格納部は、図４に示す情報管理表を格納している。情報管理表は、「ＩＤ」「情報」「属性」を有する。「ＩＤ」は、情報管理表のレコードを識別する情報であり、表管理上必要である。「情報」は、ショッピングカートに出力され得る情報である。「属性」は、「年齢」「性別」「言語」「趣味」を有する。ＩＣカードに記録されている買い物客の属性情報が「属性」の値と合致すれば、その「属性」を対になる「情報」がショッピングカートから出力される。
【００２３】
　今、買い物客のＩＣカードには、図５に示す属性情報が記録されている。買い物客は、自分のＩＣカードをショッピングカートのＩＣカードリーダーに読み込ませる。次に、ショッピングカートは、図５の属性情報に基づいて、図４の中から情報を選択する。ここでは、ショッピングカートは、図５の属性情報である「年齢：３２歳」「性別：女性」に合致する、図４の「ＩＤ＝３」の情報を選択し、出力する。情報の出力例を図６に示す。
【００２４】
　次に、第二の例について説明する。第二の例におけるショッピングカートの外観を図７に示す。本ショッピングカートは、天気を入力する天気ボタンと、言語を入力する言語ボタンが設置されている。通常、店員が、開店前に、その日の天気に合致した天気ボタンを押下する。そして、買い物客は、カートを取り出した際に言語ボタンを押下する。そして、ショッピングカートの情報格納部は、図８に示す情報管理表を格納している。情報管理表は、「ＩＤ」「情報」「属性」を有する。「属性」は、「天気」と「言語」を有する。
【００２５】
　かかる場合に、本日の天気が「晴」であり、開店前に店員がすべての店内のカートの「晴」ボタンを押下する。そして、開店時間になり、第一の買い物客がショッピングカートをカート置き場から取り出し、ショッピングカートの「日本語」ボタンを押下する。すると、ショッピングカートは、図８の「ＩＤ＝１」の「情報」を取得し、出力する。出力例は、図９である。また、第二の買い物客が「Ｅｎｇｌｉｓｈ」ボタンを押下すると、ショッピングカートは、図８の「ＩＤ＝２」の「情報」を取得し、出力する。
【００２６】
　なお、入力は、天気ボタンの押下だけでも良いし、言語ボタンの押下だけでも良い。入力が「晴」の天気ボタンだけの場合には、例えば、ショッピングカートは、以下のような動作をする。ショッピングカートには、デフォルトの「言語」が「日本語」であると、登録されている、とする。そして、ショッピングカートは、デフォルトの「言語」である日本語に合致する図８の「ＩＤ＝１」の「情報」を取得し、出力する。また、例えば、ショッピングカートは、以下のような動作をしても良い。ショッピングカートは、図８の「天気」が「晴」の「ＩＤ＝１」「ＩＤ＝２」「ＩＤ＝３」の「情報」を順に選択し、順に出力しても良い。
【００２７】
　以上、本実施の形態によれば、買い物客が、買い物中に常に保持しているショッピングカートに、買い物客等の入力に基づいて広告情報や特売等の情報を出力することができる。従って、買い物客にとって買い物がし易く、かつ、お店にとって適切な販売促進が可能になる。特に、入力が買い物客の属性情報である場合は、買い物客にとって好適である。具体的には、属性情報が、言語の種類に関する情報である場合には、買い物客が理解できる言語で情報を得ることができ、好ましい。さらに、属性情報が、ユーザの年齢に関する情報である場合には、買い物客にとって有益な情報が得られ、また、お店にとってさらなる適切な販売促進が可能になる。
【００２８】
　なお、本実施の形態において、出力される候補となる情報は、予めショッピングカートが保持していたが、当該情報は、例えば、店内のサーバ装置等の外部の装置から受信したものでも良い。
【００２９】
　また、本実施の形態において、ディスプレイは、ユーザがショッピングカートを押す側の面の前面上部に設置されていたが、ディスプレイの位置は問わない。但し、ディスプレ
イはユーザが見えやすい位置に存在することが好適である。例えば、図１０のような位置にディスプレイが設置されていても良い。かかることは、他の実施の形態においても同様である。
【００３０】
　また、本実施の形態において、ショッピングカートの代わりに、買い物かごでも良い。つまり、上述した動作を行う買い物かごである。買い物かごは、ショッピングカートと比較して、車輪がなく、ユーザが手にぶら下げるような形態である。かかる場合の買い物かごは、情報を表示するディスプレイを具備する買い物かごであって、入力を受け付ける入力受付部を具備し、入力に基づいてディスプレイに情報を表示する買い物かご、である。
【００３１】
　かかる買い物かごの外観の例を図１１および図１２に示す。図１１の買い物かごは、ディスプレイをかごの上部に有する。図１２の買い物かごは、ディスプレイがかごの一面を構成する。なお、買い物かごとショッピングカートは、車輪が設置されているか否か等の外観上の違いしかないので、特別に買い物かごの動作については説明しない。かかることは、他の実施の形態においても同様である。
【００３２】
　また、本実施の形態において、入力は、上述したものに限られないのは言うまでもない。入力は、所得や職業や家族構成などでも良い。かかる入力に基づいて出力する情報を動的に変えれば、さらに販売促進に寄与し、好都合である。
【００３３】
　また、本実施の形態によれば、ショッピングカートを利用した買い物客は各種の情報を見たり、聞いたりできることになっていたが、買い物客の選択で、ショッピングカートを利用しても、各種の情報を見たり、聞いたりしなくても良い構造でも良い。例えば、図２０に示すように、ショッピングカートのディスプレイに電源ボタンが存在し、買い物客は電源ボタンでディスプレイをオフにすることができる。また、例えば、買い物客はリモコンでショッピングカートの情報出力機能をオフにすることができても良い。また、他の実施の形態においても、買い物客の操作により、ショッピングカートや買い物かごの情報出力機能をオフにすることができても良い。また、ショッピングカートや買い物かごは、ディスプレイにスクリーンセーバーなどを表示して、買い物客の買い物に関する情報を非表示にしても良い。かかることは、他の実施の形態においても同様である。
【００３４】
　また、本実施の形態において、予め決められた条件に合致した場合に、ショッピングカートの情報を表示する機能を動作可能にする活性化部はショッピングカートにも買い物かごにも存在しなかったが、ショッピングカートまたは／および買い物かごに活性化部が存在しても良い。かかることは、他の実施の形態においても同様である。活性化部とは、例えば、カートの取っ手が握られたことを検知した場合に、例えば、ディスプレイを活性化する。かかる場合、カートの取っ手には、圧力センサーや温度センサー等、取っ手が握られたことを検知する手段が設置されている。活性化部は、かかるセンサーの値から取っ手が握られたことを検知し、取っ手が握られたことを検知した場合に、例えば、ディスプレイを活性化する。ディスプレイを活性化する、とは、ディスプレイに情報を表示できる状態にすることを言い、例えば、ディスプレイの電源をオフからオンにすることや、ディスプレイが待機状態の場合に、主電源をオンにすることを言う。
【００３５】
　活性化部は、カートが有する車輪の動きを検知して、ディスプレイ等を活性化することで実現しても良い。また、例えば、活性化部は、ＩＣカードを読み込んだ際（挿入された際）、または半導体メモリーなどのメモリーが挿入されたことを検知して、ディスプレイ等を活性化しても良い。通常、ＩＣカードや半導体メモリーなどの記録媒体には、買い物客の属性情報（氏名、年齢、嗜好、趣味、家族構成など）が記録されている。嗜好とは、例えば、ベジタリアンであるとか、ある特定の宗教を信心していることなども含む。ある特定の宗教を信心している場合には、ある特定の食料品が食べられない。従って、かかる買い物客の属性情報は、ディスプレイへの情報表示に役立つ。
【００３６】
　また、本実施の形態において、カートの形状は問わない。カートは、例えば、購入する商品を格納する部位（かご）がなく、購入する商品を格納する買い物かごを載せる形状のカートでも良い。かかるカートの例を図２１および図２２に示す。図２１のカートでは、ディスプレイは買い物客の遠い面の正面に設置されている。また、図２２のカートでは、ディスプレイは買い物客の近い面の正面に設置されている。かかることは、他の実施の形態においても同様である。
【００３７】
　さらに、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。かかる実現手段に種々のものがあることは、他の実施の形態においても同様である。
【００３８】
　（実施の形態２）
図１３は、本実施の形態に係るショッピングカートシステムの概念図である。ショッピングカートシステムは、情報送信装置１３１とショッピングカート１３２を有する。情報送信装置１３１は、例えば、陳列棚に設置されている。情報送信装置１３１は、陳列棚の商品を広告する情報である商品情報を多数保持しており、当該情報を近くのショッピングカート１３２に送信する。情報送信装置１３１の情報送信手段は、例えば、近距離通信に好適なブルートゥースである。
【００３９】
　ショッピングカート１３２は情報を表示するディスプレイと、入力手段を有する。ここでは、入力手段はバーコードリーダーである。買い物客は、購入しようとする商品に貼付されたバーコードをバーコードリーダーで読み込ませ、当該バーコードの情報に基づいて、受信した情報を選択して出力する。なお、バーコードは、二次元バーコードやマイクロバーコードなどを含む概念であることは言うまでもない。また、バーコードリーダーはいわゆるＯＣＲも含む。つまり、バーコードの代わりに印刷された文字でも良い。かかることは、本明細書全般に渡って言えることである。さらに、入力手段は、無線タグリーダーでも良い。かかる場合、商品情報は無線タグに保持されている。
【００４０】
　図１４は、本実施の形態に係るショッピングカートシステムのブロック図である。ショッピングカートシステムは、情報送信装置１３１とショッピングカート１３２を有する。情報送信装置１３１は、情報格納部１３１０１、情報送信部１３１０２を有する。ショッピングカート１３２は、入力受付部１０１、情報受信部１３２０１、情報選択部１３２０２、情報出力部１０４を有する。
【００４１】
　情報格納部１３１０１は、情報を格納している。情報格納部１３１０１が格納している情報は、例えば、本日の特売品に関する情報や、時間制限のバーゲン情報や、お買い得情報等である。情報の構造やデータタイプ（テキスト、音声、静止画、動画など）は問わない。情報格納部１３１０１は、不揮発性の記録媒体が好適であるが、揮発性の記録媒体でも良い。
【００４２】
　情報送信部１３１０２は、情報格納部１３１０１に格納されている情報を、ショッピングカート１３２に送信する。情報送信部１３１０２は、通常、無線の通信手段により実現され得るが、放送手段等でも実現可能である。
【００４３】
　情報受信部１３２０１は、情報送信装置１３１から情報を受信する。情報受信部１３２０１は、通常、無線の通信手段により実現され得るが、放送を受信する手段でも実現可能である。
【００４４】
　情報選択部１３２０２は、入力受付部１０１で受け付けた入力に基づいて、情報受信部１３２０１が受信した情報を選択する。情報選択部１３２０２が情報を選択する具体的なアルゴリズムは、以下に詳細に説明する。情報選択部１３２０２は、通常、ソフトウェアで実現されるが、ハードウェア（専用回路）で実現されても良い。
【００４５】
　以下、本実施の形態に係るショッピングカートシステムの動作について説明する。まず、情報送信装置１３１の動作について説明する。情報送信装置１３１の情報送信部１３１０２は、情報格納部１３１０１に格納されている情報を１以上のショッピングカート１３に送信する。情報送信部１３１０２は、定期的に情報を送信しても良いし、お店の店員の指示命令の受け付けにより情報を送信しても良い。つまり、情報送信部１３１０２が情報を送信するタイミングは問わない。
【００４６】
　次に、ショッピングカート１３２の動作について図１５のフローチャートを用いて説明する。
【００４７】
　（ステップＳ１５０１）バッファの初期化を行う。バッファとは、入力を格納するメモリーと受信した情報を格納するメモリーである。初期化とは、バッファをＮＵＬＬ（空）にすることである。
【００４８】
　（ステップＳ１５０２）入力受付部１０１は、入力を受け付けたか否かを判断する。入力を受け付ければステップＳ１５０３に行き、入力を受け付けなければステップＳ１５０４に飛ぶ。
【００４９】
　（ステップＳ１５０３）ステップＳ１５０２で受け付けた入力をバッファに格納する。
【００５０】
　（ステップＳ１５０４）情報受信部１３２０１は、情報を受信したか否かを判断する。情報を受信すればステップＳ１５０５に行き、情報を受信しなければステップＳ１５０２に戻る。
【００５１】
　（ステップＳ１５０５）情報選択部１３２０２は、入力を格納するバッファにデータが存在するか否かを判断する。データが存在すればステップＳ１５０６に行き、データが存在しなければステップＳ１５０７に飛ぶ。
【００５２】
　（ステップＳ１５０６）情報選択部１３２０２は、入力に基づいて、ステップＳ１５０４で受信した情報を選択する。
【００５３】
　（ステップＳ１５０７）情報選択部１３２０２は、ステップＳ１５０４で受信した情報の中からデフォルトの情報を選択する。
【００５４】
　（ステップＳ１５０８）情報出力部１０４は、情報選択部１３２０２が選択した情報を出力する。ステップＳ１５０２に戻る。
なお、図１５のフローチャートにおいて、電源ＯＦＦなどの割り込みにより処理は終了する。
【００５５】
　以下、本実施の形態におけるショッピングカートの具体的な動作について説明する。図１６は、本実施の形態に係るショッピングカートシステムの概念図である。ショッピングカートシステムは、情報格納装置１６１、情報送信装置１６２、ショッピングカート１６３を有する。情報格納装置１６１は、バーコードリーダー、テンキー入力器、ディスプレイ、情報処理装置を有する。例えば、商品の仕入れ時に、店員がバーコードリーダー、テンキー入力器を用いて、商品の説明に関する商品情報の入力を複数の言語で行う。複数の言語の商品情報は、情報処理装置に一旦蓄えられ、情報送信装置１６２の商品情報ＤＢに格納される。
【００５６】
　情報送信装置１６２は、商品情報ＤＢ（情報格納部）と無線部（情報送信部）を有する。情報送信装置１６２は、各陳列棚に設置されている。商品情報ＤＢには、陳列棚の商品情報が複数言語で格納されている。また、無線部は、例えば、近距離無線通信規約のブルートゥースである。
【００５７】
　ショッピングカート１６３は、ディスプレイとバーコードリーダーを有する。ディスプレイは、タッチパネルである。バーコードリーダーは、商品に貼付されたバーコードを読むためのものである。
【００５８】
　買い物客は、ショッピングカートをカート置き場から取り出し、タッチパネルで、「言語」を選択する。つまり、ショッピングカートのディスプレイは、カート置き場から取り出した際には、「言語」の選択画面を表示している（図１７参照）。次に、買い物客は、
図１７の画面から自分が理解できる言語のボタンを選択する。ここでは、「ロシア語」のボタンを選択した、とする。
【００５９】
　そして、今、ショッピングカートは、図１８の洗剤の情報を含む商品情報（陳列棚の商品の情報）を多数受信したとする。そして、買い物客は、洗剤を購入しようと、バーコードリーダーで洗剤に貼付されたバーコードを読み込ませる。バーコードには、洗剤を識別する情報である商品識別子「１００１１」が記録されている、とする。そして、ショッピングカートは、入力された「ロシア語」と商品識別子「１００１１」に基づいて、図１８のロシア語の情報を選択する。そして、ショッピングカートは、図１９のように商品情報を出力する。つまり、ショッピングカートは、さらに商品識別子を受け付け、情報選択部は、情報受信部で受信した情報の中から入力と商品識別子に応じて情報を選択し、情報出力部は、当該選択した情報を出力する。
【００６０】
　以上、本実施の形態によれば、ショッピングカートは、外部から受信した情報の中から、買い物客の入力に基づいて情報を選択して、出力できる。従って、買い物客にとって買い物がし易く、かつ、お店にとって適切な販売促進が可能になる。特に、入力が言語の種類に関する情報である場合には、特有の言語しか理解できない外国人にとって、非常に買い物が便利になる。
【００６１】
　なお、本実施の形態において、ショッピングカートは情報を外部の情報送信装置から受信したが、広告情報等の商品情報はショッピングカートが保持していても良い。
【００６２】
　また、本実施の形態において、ショッピングカートの代わりに、買い物かごでも良い。つまり、上述した動作を行う買い物かごである。かかる場合の買い物かごは、ディスプレイと、入力を受け付ける入力受付部と、情報を受信する情報受信部と、情報受信部で受信した情報の中から入力に応じて情報を選択する情報選択部と、情報選択部が選択した情報をディスプレイに表示する情報出力部を具備する買い物かご、である。また、買い物かごは、さらに商品識別子を受け付け、情報選択部は、情報受信部で受信した情報の中から入力と商品識別子に応じて情報を選択し、情報出力部は、当該選択した情報を出力しても良い。なお、かかる仕組みを、下記の実施の形態３で述べるショッピングカートシステムに適用しても良い。
【００６３】
　また、本実施の形態において、入力は言語の種類に関する情報や商品識別子に限らないことは言うまでもない。実施の形態１で述べた買い物客等の属性情報を入力し、ショッピングカートや買い物かごは、当該入力に基づいて情報を選択し、出力しても良い。また、入力が天気や季節や時刻や気温等であり、ショッピングカートや買い物かごは、かかる入力に基づいて情報を選択し、出力しても良い。
【００６４】
　さらに、本実施の形態において、ショッピングカートが受信する情報は、陳列棚に設置された情報送信装置からであるとは限らない。ショッピングカートは、例えば、お店に設置されている一の情報送信装置からすべての情報を受信しても良い。つまり、ショッピングカートが外部の装置から情報を受信すれば良い。
【００６５】
　（実施の形態３）
　図２３は、本実施の形態に係るショッピングカートシステムの概念図である。ショッピングカートシステムは、情報送信装置１３１、買い物かご２３１、ショッピングカート２３２を有する。買い物かご２３１とショッピングカート２３２は、実施の形態２におけるショッピングカートの機能を分担して、実施の形態２におけるショッピングカートと同様のことを実現する。
【００６６】
　買い物かご２３１は情報送信装置１３１から情報を受信し、ショッピングカート２３２に渡す。ショッピングカート２３２は、入力を受け付け、かかる入力に基づいて、情報を
選択し、ディスプレイに出力する。ショッピングカート２３２は、ディスプレイを具備する。また、ショッピングカート２３２は、例えば、バーコードリーダーを具備する。
【００６７】
　図２４は、ショッピングカートシステム構成を示すブロック図である。買い物かご２３１は情報受信部１３２０１、情報受渡部２３１０１を有する。ショッピングカート２３２は、入力受付部１０１、情報受取部２３２０１、情報選択部１３２０２、情報出力部１０４を有する。
【００６８】
　情報受渡部２３１０１は、情報受信部１３２０１が受信した情報をショッピングカート２３２に送信する。情報受渡部２３１０１は、通常、無線または有線の通信手段により実現され得る。無線の通信手段は、近距離無線通信規約のブルートゥースが好適である。
【００６９】
　情報受取部２３２０１は、情報受渡部２３１０１から送信された情報を受信する。情報受取部２３２０１は、通常、無線または有線の通信手段により実現され得る。無線の通信手段は、近距離無線通信規約のブルートゥースが好適である。
【００７０】
　次に、ショッピングカートシステムの動作について説明する。本ショッピングカートシステムにおける買い物かごとショッピングカートの動作は、実施の形態２におけるショッピングカートの動作と同様であるので、詳細な説明を省略する。本ショッピングカートシステムにおける買い物かごとショッピングカートは、実施の形態２におけるショッピングカートの機能を分担して行う。
【００７１】
　以上、本実施の形態によれば、買い物かごとショッピングカートが分離されており、使用時に買い物かごがショッピングカートの上などに設置される場合にも、買い物客の入力に基づいて情報を選択して、出力できる。従って、買い物客にとって買い物がし易く、かつ、お店にとって適切な販売促進が可能になる。特に、入力が言語の種類に関する情報である場合には、特有の言語しか理解できない外国人にとって、非常に買い物が便利になる。
【００７２】
　なお、本実施の形態において、ショッピングカートは情報を外部の情報送信装置から受信したが、広告情報等の商品情報はショッピングカートや買い物かごが保持していても良い。
【００７３】
　また、本実施の形態によれば、情報の受信、選択、情報の出力を買い物かごとショッピングカートで分担して行ったが、他の分担方法でも良い。
【００７４】
　さらに、本実施の形態によれば、実施の形態２におけるショッピングカートの機能を買い物かごとショッピングカートで分担したが、実施の形態１におけるショッピングカートや買い物かごの機能を買い物かごとショッピングカートで分担しても良い。つまり、例えば、買い物かごが情報を保持しており、ショッピングカートがユーザの入力に基づいて買い物かごが保持する情報の中から情報を選択して、当該選択した情報の出力を行っても良い。
【産業上の利用可能性】
【００７５】
　以上のように、本発明にかかるショッピングカートや買い物かごは、商品情報等の情報を適切に表示できるという効果を有し、販売促進が可能になり、また、買い物にも便利なショッピングカートや買い物かごとして有用である。
【図面の簡単な説明】
【００７６】
【図１】実施の形態１に係るショッピングカートの概念図
【図２】実施の形態１に係るショッピングカートの構成を示すブロック図
【図３】実施の形態１に係るショッピングカートの動作を示すフローチャート
【図４】実施の形態１に係る情報管理表を示す図
【図５】実施の形態１に係る属性情報の例を示す図
【図６】実施の形態１に係るショッピングカートの情報出力例を示す図
【図７】実施の形態１に係るショッピングカートの例を示す図
【図８】実施の形態１に係る情報管理表を示す図
【図９】実施の形態１に係るショッピングカートの情報出力例を示す図
【図１０】実施の形態１に係るショッピングカートの例を示す図
【図１１】実施の形態１に係る買い物かごの例を示す図
【図１２】実施の形態１に係る買い物かごの例を示す図
【図１３】実施の形態２に係るショッピングカートシステムの概念図
【図１４】実施の形態２に係るショッピングカートシステムのブロック図
【図１５】実施の形態２に係るショッピングカートの動作を示すフローチャート
【図１６】実施の形態２に係るショッピングカートシステムの概念図
【図１７】実施の形態２に係るショッピングカートの例を示す図
【図１８】実施の形態２に係る情報の例を示す図
【図１９】実施の形態２に係るショッピングカートの情報出力例を示す図
【図２０】実施の形態１に係るショッピングカートの例を示す図
【図２１】実施の形態１に係るショッピングカートの外観図
【図２２】実施の形態１に係るショッピングカートの外観図
【図２３】実施の形態３に係るショッピングカートシステムの概念図
【図２４】実施の形態３に係るショッピングカートシステムのブロック図
【符号の説明】
【００７７】
　１３、１３２、１６３　ショッピングカート
　１０１　入力受付部
　１０２、１３１０１　情報格納部
　１０３、１３２０２　情報選択部
　１０４　情報出力部
　１３１、１６２　情報送信装置
　１６１　情報格納装置
　１３１０２　情報送信部
　１３２０１　情報受信部
　２３１０１　情報受渡部
　２３２０１　情報受取部
【図１】
2004106826.tif 000003
【図２】
2004106826.tif 000004
【図３】
2004106826.tif 000005
【図４】
2004106826.tif 000006
【図５】
2004106826.tif 000007
【図６】
2004106826.tif 000008
【図７】
2004106826.tif 000009
【図８】
2004106826.tif 000010
【図９】
2004106826.tif 000011
【図１０】
2004106826.tif 000012
【図１１】
2004106826.tif 000013
【図１２】
2004106826.tif 000014
【図１３】
2004106826.tif 000015
【図１４】
2004106826.tif 000016
【図１５】
2004106826.tif 000017
【図１６】
2004106826.tif 000018
【図１７】
2004106826.tif 000019
【図１８】
2004106826.tif 000020
【図１９】
2004106826.tif 000021
【図２０】
2004106826.tif 000022
【図２１】
2004106826.tif 000023
【図２２】
2004106826.tif 000024
【図２３】
2004106826.tif 000025
【図２４】
2004106826.tif 000026